(57)【要約】【課題】外壁の裏面を対向させて設置させる二重壁構造にあって、現場施工に伴う各外壁版の出入りにも有効に対応することができる水切り構造を提供する。【解決手段】下カバー部３４が各外壁１３の上部を覆うように設けると共に、各下カバー部３４に架設される状態で上カバー部３５を設けて水切り構造１０を形成する。下カバー部３４に調整部３４ａを設け、上カバー部３５に調整部３４ａと密着する密着部３５ｃを設ける。【選択図】図１
2014114605.tif 000002
【特許請求の範囲】
【請求項１】
互いに裏面を対向させた状態で設けられる一対の平板状の外壁の上部に設置され、
これら一対の外壁上面への及び一対の当該上面間への降水を外壁表面側に流下させる水切り構造であって、
各外壁の上端部を覆う下カバー部と、
各下カバー部に密着した状態で前記一対の外壁間の隙間を覆う上カバー部とを備えており、
当該上下カバー部のいずれか一方に当該外壁の厚さ方向に所定の幅を有する調整部を備え、
いずれか他方に当該調整部に密着する密着部を備えている
ことを特徴とする水切り構造。
【請求項２】
前記下カバー部は、
各外壁の上端部に立設されて当該外壁の裏面から表面に向けて下り傾斜状の水切り部を備える笠木部材と、
該笠木部材の水切り部上端を覆うカバー部材とを備え、
該カバー部材は、帯状に形成されて前記調整部が形成され、
前記上カバー部は、
前記密着部を各外壁の下カバー部に対向させた状態で一対設けると共に、当該一対の密着部を連結して一対の外壁間の隙間を覆う覆い部とを備えている
ことを特徴とする請求項１に記載の水切り構造。
【請求項３】
前記一方の笠木部材に設けられるカバー部材の調整部は、当該笠木部材の端部よりも他方の笠木部材に向けて突出して設けられている
ことを特徴とする請求項２に記載の水切り構造。
【請求項４】
各カバー部材は、所定の長さを有する帯状に形成され、長さ方向の端部には、隣り合って連結される他のカバー部材と重なる重ね代を有している
ことを特徴とする請求項１〜３の何れか一項に記載の水切り構造。
【請求項５】
上カバー部の長さ方向の連結部と、下カバー部の長さ方向の連結部とが、前記長さ方向においてずれていることを特徴とする請求項１〜４の何れか一項に記載の水切り構造。
【発明の詳細な説明】
【技術分野】
【０００１】
本発明は、厚み方向に対向する一対の外壁の上部に設置される水切り構造に関する。
【背景技術】
【０００２】
従来、戸建て住宅や低層の集合住宅において、外壁と同じしつらえでベランダの内側の壁や外廊下の内側の壁、或いは垂壁の内側の壁を形成すべく、外壁を形成する外壁版の裏面どうしを対向させて設置する二重壁構造が知られている。
【０００３】
かかる構成においては、二重壁の上部は少なくとも通常の２倍の厚さを有することとなり、さらには壁間にスキマが設けられることも考えられるため、当該上部への降水をどのように処理するかが問題となるが、例えば特許文献１においては、これら一対の外壁を跨いで一の笠木部材を設置することとしている。
【先行技術文献】
【特許文献】
【０００４】
【特許文献１】特開２００３−２７５８７号公報
【発明の概要】
【発明が解決しようとする課題】
【０００５】
ところで、所定の外壁版を敷設することで外壁を形成する建物にあっては、現場で梁等に１枚１枚の外壁版を取り付けていく施工を行うものであって、施工誤差等に起因して個々の外壁版の間で厚さ方向の取り付け位置が若干（１ｍｍ〜２ｍｍ程度）前後にずれ、これによって、外壁に場所によって若干の凹凸が発生してしまうことは少なく無い（かかる現象を「出入り」ともいう）。
【０００６】
しかしながら、上記特許文献１の構成おいては、互いに対向する外壁版の上部を一つの笠木部材で覆うものであって、かかる外壁版間のずれに応じて柔軟に笠木部材を設置することが困難であり、無理に取り付けると笠木部材がその長さ方向でみて蛇行してしまうという問題があった。
【０００７】
かかる問題を解決すべく、笠木部材を例えば外壁全体の長さの数分の１程度の長さとし、当該笠木部材を長さ方向に連結する構成とすることでかかる外壁版の個々の出入りに対応することが考えられるが、この場合、外壁版のずれに伴って笠木部材もずれしてしまい、当該笠木部材間の連結を上手く処理することができずに見栄えを損ない、加えて防水性能も低下させてしまいかねない。
【０００８】
また、かかるずれを無視できる程度に笠木部材の大型化を図る構成も考えられるが、かかる構成であっても、外壁版の出入りに伴って笠木部材と外壁版に取り付けられる下地部材間の間で隙間が生じて防水性能が低下する虞があるばかりでなく、本来であればできるだけ小さく形成したい笠木部材が大型化することとなって、見栄えが悪化するのみならず斜線規制に対応し難くなる等の新たな問題を招来する。
【０００９】
そこで、本発明は、外壁の裏面を対向させて設置させる二重壁構造にあって、現場施工に伴う各外壁版の出入りにも有効に対応することができる水切り構造を提供することを目的とする。
【課題を解決するための手段】
【００１０】
本発明は、互いに裏面を対向させた状態で設けられる一対の平板状の外壁の上部に設置され、これら一対の外壁上面への及び一対の当該上面間への降水を外壁表面側に流下させる水切り構造であって、各外壁の上端部を覆う下カバー部と、各下カバー部に密着した状態で一対の外壁間の隙間を覆う上カバー部とを備えており、当該上下カバー部のいずれか一方に当該外壁の厚さ方向に所定の幅を有する調整部を備え、いずれか他方に当該調整部に密着する密着部を備えていることを特徴とする。
【００１１】
各外壁は、現場の施工誤差等に起因して、厚さ方向でみて所定の位置よりも僅かに前後にずれた状態で設置される場合が少なくなく、これによって、位置によって一対の外壁の間隔が場所によって異なる場合がある。
【００１２】
これに対し、本願発明においては、下カバー部が各外壁の上部を覆い、各下カバー部に架設される状態で上カバー部が設けられて水切り構造が形成される。そして、上記構成によれば、下カバー部に調整部が設けられ、上カバー部に密着部が設けられている場合と、上カバー部に調整部が設けられ、下カバー部に密着部が設けられている場合とがある。
【００１３】
前者の場合、各下カバー部は、当該外壁の取り付け位置に応じて所定の位置から前後にずれた状態に位置づけられる。ここで、当該外壁の取り付け誤差が調整部の幅程度であれば、常に上カバー部の密着部に対向する位置に調整部が位置させることができる。これによって、当該上カバー部は外壁の取り付け状態に合わせて所定位置よりもずれた位置で取り付けるような必要は無く、常に所定の位置に位置づけることができる。結果として、調整部に密着部を密着させ、これらの間を水密とすることができるものとなっているのである。
【００１４】
同様に、後者の場合でも、下カバー部は、外壁の取り付け位置に応じて所定位置よりも前後にずれた状態で取り付けられることとなり、それに応じて密着部も出入りする。これに対し、当該ずれが上カバー部の調整部の幅程度であれば、常に上カバー部の調整部は対向するものとなる。これによって、当該上カバー部は外壁の取り付け状態に合わせて所定位置よりもずれた位置で取り付けるような必要は無く、常に所定の位置に位置づけることができる。結果として、調整部に密着部を密着させ、これらの間を水密とすることができるものとなっているのである。
【００１５】
さらに、下カバー部は、各外壁の上端部に立設されて当該外壁の裏面から表面に向けて下り傾斜状の水切り部を備える笠木部材と、該笠木部材の水切り部上端を覆うカバー部材とを備え、該カバー部材は、帯状に形成されて調整部が形成され、上カバー部は、密着部を各外壁の下カバー部に対向させた状態で一対設けると共に、当該一対の密着部を連結して一対の外壁間の隙間を覆う覆い部とを備えていると好適である。
【００１６】
外壁の取付け位置のずれは、例え大きいものであっても外壁の厚さの数十分の１程度（数ｍｍ程度）である。したがって、かかる構成を採用することにより、当該ずれのための調整のための部材を可及的小型化する一方、笠木部材によって外壁の上部の水切りをより確実に行うことができるものとなっている。
【００１７】
また、かかる笠木部材に上カバー部から外壁に向けて下り傾斜状となる水切り部が形成されるので、笠木部材への降水はもちろん、上カバー部に向けての降水も笠木部材の水切り部を通じて速やかに各外壁の表面に流下させることができる。
【００１８】
さらに、一方の笠木部材に設けられるカバー部材の調整部は、当該笠木部材の端部よりも他方の笠木部材に向けて突出して設けられていると好適である。
【００１９】
この水切り構造によれば、カバー部材の調整部の調整機能を拡張することができ、且つ、上カバー部を設置することで当該調整部の大部分を上カバー部の下方に収容することができるものとなり、より見栄えを向上することができるものとなっている。加えて、当該上カバー部と下カバー部との間から万が一降水が侵入した場合であっても、当該調整部がかかる降水の受け部となり、かかる降水が直ちに一対の外壁間に流下してしまうことを防止することができるものとなっている。
【００２０】
各カバー部材は、所定の長さを有する帯状に形成され、長さ方向の端部には、隣り合って連結される他のカバー部材と重なる重ね代を有していると好適である。かかる重ね代により、長さ方向の位置を調整することができる。加えて、地震等によりカバー部材が長さ方向にずれたとしても、一対の外壁及びその間の隙間の露出を可及的防止することができる。
【００２１】
さらに、上カバー部の長さ方向の連結部と、下カバー部の長さ方向の連結部とが、長さ方向においてずれていると好適である。例え上カバー部の連結部から降水が浸入したとしても、下カバー部の連結部の位置が長さ方向においてずれているので、下カバー部を通じて降水がさらに浸入することが防止される。これにより、降水の浸入をより抑制することができ、防水性能の向上を図ることができる。
【発明の効果】
【００２２】
本発明によれば、外壁の裏面を対向させて設置させる二重壁構造にあって、現場施工に伴う各外壁版の出入りにも有効に対応することができる水切り構造を提供することができる。
【図面の簡単な説明】
【００２３】
【図１】本発明の実施形態に係る水切り構造が設けられた二重壁構造を示す断面図である。
【図２】本発明の実施形態に係る水切り構造を示す分解斜視図である。
【発明を実施するための形態】
【００２４】
以下、本発明の好適な実施形態について図面を参照しながら説明する。
【００２５】
図１及ぶ図２に示されるように本実施形態に係る水切り構造１０は、建物の外部に配置された飛び梁１１の上端部に設置されている。飛び梁１１は、建物側から水平方向に張り出し、上下方向に延在する柱（不図示）に連結されている。飛び梁１１は、例えば建物から上部が開放されたデッキテラスの外側に配置された柱に向かって延在している。なお、水切り構造１０は、壁の厚み方向Ｘの両面が屋外に露出された壁構造体の上端部に沿って配置されていてもよい。
【００２６】
飛び梁１１の中央には、長さ方向Ｙに延在する鉄骨梁１２が設けられている。鉄骨梁１２は、Ｈ型鋼からなり、上部フランジ１２ａ、下部フランジ（不図示）、及び上下フランジ１２ａを結合するウェブ１２ｃを備えている。
【００２７】
鉄骨梁１２の両側には、一対の平面状の外壁１３が設置されている。外壁１３は、板状をなし、厚み方向Ｚが水平方向となるように配置されている。一対の外壁１３の裏面は、互いに対向している。一対の外壁１３に挟まれるように鉄骨梁１２が配置されている。
【００２８】
外壁１３は、支持金物１４〜１６を介して、鉄骨梁１２に連結されている。支持金物１４は、鉄骨梁１２の上部フランジ１２ａ上に配置されている。支持金物１４は、断面略コ字状の長尺部材であり、上部フランジ１２ａにボルト結合されている。支持金物１４は、一対の外壁１３に対応して、それぞれ設けられ、立上り部１７を形成している。立上り部１７は、一対の支持金物１４（以下「立上り部材」という）によって構成されている。
【００２９】
立上り部材１４は、上部フランジ１２ａに当接するベース片１４ａと、ベース片１４ａから屈曲され上方に延びる立設片１４ｂと、立設片１４ｂの上端から屈曲され水平方向外側へ延びる天端片１４ｃとを有する。一対の立上り部材１４は、立設片１４ｂが対向して配置され、ベース片１４ａ及び天端片１４ｃの先端が反対方向に向くように配置されている。
【００３０】
また、立上り部１７には、一対の立上り部材１４間の隙間を上方から覆う天板１８が設けられている。天板１８は、天端片１４ｃにネジ止めされている。立上り部材１４及び天板１８は、鉄骨梁１２の長さ方向Ｙに沿って配置されている。
【００３１】
立上り部材１４のベース片１４ａには、略鉛直に折り曲げられて形成されたリップ片１４ｄが設けられている。リップ片１４ｄには、外壁１３を支持するための支持金物１５が固定されている。支持金物１５（以下「上部定規金物」という）は、外壁１３の上端面に固定されている。
【００３２】
上部定規金物１５は断面略Ｌ字状であり、外壁１３の上端に対向するように延在する上部片１５ａと、略鉛直に延在して外壁１３の裏面に当接する当接片１５ｂとを有する。また、鉄骨梁１２の下部フランジには、外壁１３を支える支持金物（不図示）がボルト結合されている。
【００３３】
外壁１３は軽量気泡コンクリート（ＡＬＣ）パネルからなり、鉄骨梁１２を、厚み方向Ｘの両側から挟むように配置されている。飛び梁１１に用いられる外壁１３としては、一般的な外壁などを構成する外装パネルと同一の規格、デザイン等を有し、高さ寸法のみを短く切り詰めたものが用いられることが多い。本実施形態に係る外壁１３も、この種の構成からなるが、飛び梁１１の外壁１３としては、このような構成に限定されるものではなく、外壁を構成する外装パネルとは異なる規格やデザインを有するものであってもよい。
【００３４】
また、飛び梁１１の外壁１３の場合、鉄骨梁１２の厚み方向Ｘの両側から覆うのに必要最低限の高さ寸法を有するように構成するのが好ましく、少なくとも上端部１３ｂの高さのレベルが鉄骨梁１２の上端部１２ｄのレベルにほぼ一致するように構成される。鉄骨梁１２の下端部のレベルについては、外壁１３の取り付けに支障がない範囲内で極力高く設定されるのが好ましい。
【００３５】
外壁１３の上部は、ドリルスクリュー（「ドリルねじ」ともいう）等の固定手段によって当接片１５ｂに結合されている。また、外壁１３の下部は、下部定規金物に当接し、貫通ボルトによって下部定規金物に連結されている。また、外壁１３の下端には、下笠木が装着されていてもよい。
【００３６】
立上り部１７は、外壁１３の外表面１３ａを含む仮想の平面（仮想面）Ｆ１よりも鉄骨梁１２側に後退した位置に設けられている。また、立上り部１７と外壁１３の上端部１３ｂとの連絡部位には、雨水の進入を防ぐための防水鋼板２１が配置されている。防水鋼板２１の上端部は、立上り部材１４の天端片１４ｃにねじ止めされており、下端部は、上部定規金物１５にねじ止めされている。
【００３７】
また、本実施形態では、立上り部材１４の天端片１４ｃの外側端縁に小さな水返し２３が設けられている。水返し２３は、立上り部１７の天面に堆積した塵埃が支持金具４１の下に流れ込まないために設けられている。さらに、水返し２３は、立上り部１７の天面で受けた雨水が支持金具４１の下に流れ込み、防水鋼板２１に堆積した塵埃が雨水とともに外壁１３の外表面１３ａを伝い落ちることで生ずる雨垂れ汚れを防止するために設けられている。
【００３８】
防水鋼板２１の上方には、立上り部１７から外壁１３までを覆う水切り構造１０（水切り金物）が配置されている。
【００３９】
水切り構造１０は、立上り部１７の外周に沿って連続的に設けられている。また、水切り構造１０は、外壁１３の上端面（上面）及び当該上端面間を覆う一対の笠木部材３１を備えている。笠木部材３１は、対向する一対の外壁１３の上端を覆うように、厚み方向Ｘに離間して配置されている。一対の笠木部材３１は、長手方向Ｙに延在している。
【００４０】
笠木部材３１は、上部片１５ａに固定された支持金具４１によって支持されている。支持金具４１は、笠木部材３１の裏面に当接する支持板４２を有する。笠木部材３１は、支持板４２にビス止めされることで、外壁１３の上端部１３ｂ上方で上部片１５ａに固定されている。
【００４１】
一対の笠木部材３１の天端面（上端部）３１ａは、厚み方向Ｘに延在する横材３２によって連結されている。横材３２は、長手方向Ｙに所定の間隔で配置されている。一対の笠木部材３１の先端部３１ｂ（厚み方向Ｘの外側の端部）は、外壁１３の外表面１３ａよりも外側へ突出している。先端部３１ｂは、外表面１３ａよりも、例えば３５ｍｍ程度、外側へ突出している。これにより、笠木部材３１の先端部３１ｂから流下する降水は、当該先端部３１ｂから水滴状、滝状に落下することになるので、当該降水が外壁１３の外表面１３ａを伝って流下することが抑制され、結果として、当該外表面１３ａの汚れを抑制することができる。
【００４２】
水切り構造１０は、飛び梁１１の厚み方向Ｘの中央部を覆うカバー部材３３を備えている。カバー部材３３は、下カバー部３４及び上カバー部３５を有する。下カバー部３４は、笠木部材３１の天端面３１ａに重なり合う平板部３４ａ（調整部）と、平板部３４ａの一方の端部（厚み方向Ｘの外側の端部）に設けられ下方へ傾斜する傾斜部３４ｂと、他方の端部（厚み方向Ｘの内側の端部）に設けられ上方へ屈曲された立上り部３４ｃと、を備えている。平板部３４ａは、例えばＸＹ面と平行な面を形成している。下カバー部３４は、各笠木部材３１の上端部を覆うように、厚み方向Ｘに離間して各々配置されている。
【００４３】
また、下カバー部３４の平板部３４ａは、外壁１３の厚み方向Ｘにおいて、笠木部材３１の内側の端部（天端面３１ａ）よりも他方の笠木部材３１（Ｘ方向に対向する笠木部材３１）側に向けて突出している。
【００４４】
上カバー部３５は、厚み方向Ｘに離間した一対の下カバー部３４に対向する帯状の本体部３５ａ（覆い部）を有する。本体部３５ａは、断面がコ字状に形成され、幅方向（厚み方向Ｘ）の両端部が下方に垂れ下がるように形成されている。本体部３５ａは、厚み方向Ｘの両端部に形成された垂下部３５ｂの下端から外方に張り出す鍔状の密着部３５ｃを有する。本体部３５ａは、一対の密着部３５ｃを連結すると共に、一対の外壁１３間の隙間を覆っている。本体部３５ａは、ＸＹ面と平行な平坦面を有するように形成されていることが好ましい。なお、本体部３５ａは、厚み方向Ｘに若干の傾斜を有するように配置されていてもよい。その場合、本体部３５ａは、片勾配でもよく、両勾配でもよい。
【００４５】
上カバー部３５の密着部３５ｃは、下カバー部３４の平板部３４ａと当接している。具体的には、密着部３５ｃの下面と平板部３４ａの上面とが当接している。密着部３５ｃが平板部３４ａにビス止めされて、上カバー部３５が下カバー部３４に固定されている。下カバー部３４の平板部３４ａの幅（厚み方向Ｘの長さ）は、上カバー部３５の密着部３５ｃの幅（厚み方向Ｘの長さ）よりの長く形成されている。これにより、上カバー部３５と下カバー部３４との間に位置のずれが生じても、密着部３５ｃと平板部３４ａとを当接させることができる。平板部３４ａは、外壁１３の厚み方向Ｘに余裕を持って形成されているので、多少の出入りがあっても、上カバー部３５の密着部３５ｃは、平板部３４ａに接触することとなり、ビス止め可能となる。
【００４６】
下カバー部３４及び上カバー部３５は、長手方向Ｙの片方の端部に、重ね代３４ｅ，３５ｅを備えている。下カバー部３４の重ね代３４ｅを、接続相手の下カバー部３４の平板部３４ａの下側へ挿入することで、長手方向Ｙに隣接する下カバー部３４の端部同士を重ね合せる。同様に、上カバー部３５の重ね代３５ｅを、接続相手の上カバー部３５の本体部３５ａの端部同士を重ね合せる。これにより、地震の揺れまたは設置時の湾曲変形などによって、下カバー部３４または上カバー部３５に位置ずれが生じた場合であっても、当該重ね代３４ｅ，３５によって位置ずれが吸収されるので、笠木部材３１の上端側が外部に露出することが防止される。その結果、降水が笠木部材３１の上端側から立上り部１７側へ浸入することが防止される。
【００４７】
また、下カバー部３４の長手方向Ｙの端部（連結部）と、上カバー部３５の長手方向Ｙの端部（連結部）とは、長手方向Ｙにおいて互いに異なる位置に配置されていることが好ましい。例え上カバー部３５の連結部から降水が浸入したとしても、下カバー部３４の連結部の位置が長手方向Ｙにおいてずれているので、降水が立上り部１７側へ浸入することが防止される。これにより、降水の浸入をより抑制することができ、防水性能の向上を図ることができる。
【００４８】
本実施形態の水切り構造１０によれば、カバー部材３３が笠木部材３１の上端部３１ａを覆うこととなるので、笠木部材３１への降水が笠木部材３１の先端部３１ｂから落下し、外壁１３の外表面１３ａに付着することが抑制されることになる。これにより、外壁１３の外表面１３ａの汚れを防止することができる。
【００４９】
また、水切り構造１０では、カバー部材３３が、下カバー部３４と上カバー部３５とに分割形成されて、下カバー部３５に外壁１３の厚さ方向Ｘに所定の幅を有する平板部３５ａが形成されている。そのため、現場施工に伴って各外壁１３に厚さ方向の位置ずれ（出入り）が生じた場合であっても、下カバー部３４と上カバー３５との間の位置関係を好適調整することができる。その結果、カバー部材３３と笠木部材３１の上端部３１ａとの間で隙間が形成されないようにカバー部材３３を確実に施工することができるので、施工時の作業を軽減しつつ、降水による外壁１３の汚れを防止することができる。
【００５０】
より具体的には、外壁１３の出入りは平板部３４ａの幅以下の１〜２ｍｍ程度であり、常に上カバー部３５の密着部３５ｃに平板部３４ａを対向させることができる。これによって、当該上カバー部３５は外壁１３の取り付け状態に合わせて所定位置よりもずれた位置で取り付けるような必要が無くなるので、常に所定の位置に位置づけることができる。結果として、平板部３４ａに密着部３５ｃを密着させ、これらの間を水密とすることができるものとなっているのである。下カバー部３４は、外壁１３の出入りに合わせて出入りした状態で取り付けられる。他方、上カバー部３５は、常に中心位置を維持した状態で、取り付けられている。これらは分割構成されているために、上カバー部３４は外壁１３の出入りに関わらず定位置に配置でき、意匠性、水密性が一定に維持される。
従って、下カバー部３４と上カバー部３５を密着させると共に、下カバー部３４と笠木部材３１とを密着させて隙間の発生を防止し水密とすることができる。
【００５１】
本実施形態の水切り構造１０では、下カバー部３４の調整部３４ａが、厚み方向Ｘの反対側の笠木部材３１側へ突出するように形成されている。そのため、カバー部材３３の調整部３４ａの調整機能を拡張することができ、且つ、上カバー部３５を設置することで当該調整部３４ａの大部分を上カバー部の下方に収容することができるものとなり、より見栄えを向上することができる。加えて、当該上カバー部３５と下カバー部３４との間から万が一降水が侵入した場合であっても、当該調整部３４ａがかかる降水の受け部となり、かかる降水が直ちに一対の外壁間に流下してしまうことを防止することができる。
【００５２】
また、水切り構造１０では、下カバー部３４及び上カバー部３５を備え、互いの位置調整が容易であるので、笠木部材３１の大型化を抑えつつ、降水の浸入を防止することができる。そのため、水切り構造１０では、笠木部材３１の大型化による外観の悪化を防止することができると共に、斜線規制に対応させ易くなる。
【００５３】
以上、本発明について実施形態を例に説明したが、本発明は、上記の実施形態のみに限定されない。例えば、上記の実施形態では、外壁１３の厚さ方向Ｘに所定の幅を有する調整部３４ａを下カバー部３４に設けているが、調整部が上カバー部３５に設けられ、密着部が下カバー部３４に設けられていてもよい。
【００５４】
また、上記実施形態では、鉄骨梁１２（横架材）を有する飛び梁１１に水切り構造１０を設けているが、横架材は、溝形鋼などのその他の鉄鋼系部材であったり、または木質系の部材であったりしてもよい。
【００５５】
また、上記実施形態では、飛び梁１１の上端部に水切り構造１０を設置しているが、その他の梁、壁などの上端部に水切り構造１０を設置してもよい。
【符号の説明】
【００５６】
１０…水切り構造、１１…飛び梁、１２…鉄骨梁、１３…外壁、１４…立上り部材（支持金物）、１５…上部定規金物（支持金物）、１７…立上り部、１８…天板、１９…ドリルスクリュー、２１…防水鋼板、３１…笠木部材、３３…カバー部材、３４…下カバー部、３４ａ…平板部（調整部）、３５…上カバー部、３５ａ…本体部（覆い部）、３５ｃ…密着部、Ｘ…外壁の厚み方向、Ｙ…長手方向、Ｚ…上下方向。
【図１】
2014114605.tif 000003
【図２】
2014114605.tif 000004